【手続補正書】
【提出日】平成28年3月30日(2016.3.30)
【手続補正１】
【補正対象書類名】特許請求の範囲
【補正対象項目名】全文
【補正方法】変更
【補正の内容】
【特許請求の範囲】
【請求項１】
血液中のアミノ酸の濃度値に関する評価対象のアミノ酸濃度データに含まれるＴｙｒ，Ｐｈｅ，Ｔｒｐ，Ｇｌｕ，Ａｌａ，Ｐｒｏ，Ｏｒｎ，Ｌｙｓ，Ｇｌｙ，Ｓｅｒ，Ｍｅｔ，Ａｒｇ，Ｃｙｓ，Ｇｌｎ，Ｌｅｕ，Ｖａｌ，Ｉｌｅのうち少なくとも２つの濃度値に基づいて、前記評価対象につき内臓脂肪面積の状態を評価する濃度値基準評価ステップを含むこと
を特徴とする内臓脂肪面積の評価方法。
【請求項２】
前記少なくとも２つは、Ｔｙｒ，Ｔｒｐ，Ａｌａ，Ｇｌｙのうち少なくとも２つであること
を特徴とする請求項１に記載の内臓脂肪面積の評価方法。
【請求項３】
前記濃度値基準評価ステップは、
前記少なくとも２つの濃度値と前記少なくとも２つの濃度値を変数として含む内臓脂肪面積の状態を評価するための多変量判別式とに基づいて、当該多変量判別式の値である判別値を算出する判別値算出ステップ
をさらに含むこと
を特徴とする請求項１または２に記載の内臓脂肪面積の評価方法。
【請求項４】
前記濃度値基準評価ステップは、
前記判別値算出ステップで算出した前記判別値に基づいて、前記評価対象につき内臓脂肪面積の状態を評価する判別値基準評価ステップ
をさらに含むこと
を特徴とする請求項３に記載の内臓脂肪面積の評価方法。
【請求項５】
血液中のアミノ酸の濃度値に関する評価対象のアミノ酸濃度データに含まれるＴｙｒ，Ｐｈｅ，Ｔｒｐ，Ｇｌｕ，Ａｌａ，Ｐｒｏ，Ｏｒｎ，Ｌｙｓ，Ｇｌｙ，Ｓｅｒ，Ｍｅｔ，Ａｒｇ，Ｃｙｓ，Ｇｌｎ，Ｌｅｕ，Ｖａｌ，Ｉｌｅのうち少なくとも２つの濃度値と前記少なくとも２つの濃度値を変数として含む内臓脂肪面積の状態を評価するための多変量判別式とに基づいて、当該多変量判別式の値である判別値を算出する判別値算出ステップを含むこと
を特徴とする内臓脂肪面積の評価方法。
【請求項６】
前記少なくとも２つは、Ｔｙｒ，Ｔｒｐ，Ａｌａ，Ｇｌｙのうち少なくとも２つであること
を特徴とする請求項５に記載の内臓脂肪面積の評価方法。
【請求項７】
前記判別値算出ステップで算出した前記判別値に基づいて、前記評価対象につき内臓脂肪面積の状態を評価する判別値基準評価ステップをさらに含むこと
を特徴とする請求項５または６に記載の内臓脂肪面積の評価方法。
【請求項８】
血液中のアミノ酸の濃度値に関する評価対象のアミノ酸濃度データに含まれるＴｙｒ，Ｐｈｅ，Ｔｒｐ，Ｇｌｕ，Ａｌａ，Ｐｒｏ，Ｏｒｎ，Ｌｙｓ，Ｇｌｙ，Ｓｅｒ，Ｍｅｔ，Ａｒｇ，Ｃｙｓ，Ｇｌｎ，Ｌｅｕ，Ｖａｌ，Ｉｌｅのうち少なくとも２つの濃度値と前記少なくとも２つの濃度値を変数として含む内臓脂肪面積の状態を評価するための多変量判別式とに基づいて算出された当該多変量判別式の値である判別値に基づいて、前記評価対象につき内臓脂肪面積の状態を評価する判別値基準評価ステップを含むこと
を特徴とする内臓脂肪面積の評価方法。
【請求項９】
前記少なくとも２つは、Ｔｙｒ，Ｔｒｐ，Ａｌａ，Ｇｌｙのうち少なくとも２つであること
を特徴とする請求項８に記載の内臓脂肪面積の評価方法。
【請求項１０】
制御手段を備えた内臓脂肪面積評価装置であって、
前記制御手段は、
血液中のアミノ酸の濃度値に関する評価対象のアミノ酸濃度データに含まれるＴｙｒ，Ｐｈｅ，Ｔｒｐ，Ｇｌｕ，Ａｌａ，Ｐｒｏ，Ｏｒｎ，Ｌｙｓ，Ｇｌｙ，Ｓｅｒ，Ｍｅｔ，Ａｒｇ，Ｃｙｓ，Ｇｌｎ，Ｌｅｕ，Ｖａｌ，Ｉｌｅのうち少なくとも２つの濃度値に基づいて、前記評価対象につき内臓脂肪面積の状態を評価する濃度値基準評価手段
を備えたこと
を特徴とする内臓脂肪面積評価装置。
【請求項１１】
制御手段を備えた内臓脂肪面積評価装置であって、
前記制御手段は、
血液中のアミノ酸の濃度値に関する評価対象のアミノ酸濃度データに含まれるＴｙｒ，Ｐｈｅ，Ｔｒｐ，Ｇｌｕ，Ａｌａ，Ｐｒｏ，Ｏｒｎ，Ｌｙｓ，Ｇｌｙ，Ｓｅｒ，Ｍｅｔ，Ａｒｇ，Ｃｙｓ，Ｇｌｎ，Ｌｅｕ，Ｖａｌ，Ｉｌｅのうち少なくとも２つの濃度値と前記少なくとも２つの濃度値を変数として含む内臓脂肪面積の状態を評価するための多変量判別式とに基づいて、当該多変量判別式の値である判別値を算出する判別値算出手段
を備えたこと
を特徴とする内臓脂肪面積評価装置。
【請求項１２】
制御手段を備えた内臓脂肪面積評価装置であって、
前記制御手段は、
血液中のアミノ酸の濃度値に関する評価対象のアミノ酸濃度データに含まれるＴｙｒ，Ｐｈｅ，Ｔｒｐ，Ｇｌｕ，Ａｌａ，Ｐｒｏ，Ｏｒｎ，Ｌｙｓ，Ｇｌｙ，Ｓｅｒ，Ｍｅｔ，Ａｒｇ，Ｃｙｓ，Ｇｌｎ，Ｌｅｕ，Ｖａｌ，Ｉｌｅのうち少なくとも２つの濃度値と前記少なくとも２つの濃度値を変数として含む内臓脂肪面積の状態を評価するための多変量判別式とに基づいて算出された当該多変量判別式の値である判別値に基づいて、前記評価対象につき内臓脂肪面積の状態を評価する判別値基準評価手段
を備えたこと
を特徴とする内臓脂肪面積評価装置。
【請求項１３】
制御手段を備えた情報処理装置で実行する内臓脂肪面積評価方法であって、
前記制御手段で実行する、
血液中のアミノ酸の濃度値に関する評価対象のアミノ酸濃度データに含まれるＴｙｒ，Ｐｈｅ，Ｔｒｐ，Ｇｌｕ，Ａｌａ，Ｐｒｏ，Ｏｒｎ，Ｌｙｓ，Ｇｌｙ，Ｓｅｒ，Ｍｅｔ，Ａｒｇ，Ｃｙｓ，Ｇｌｎ，Ｌｅｕ，Ｖａｌ，Ｉｌｅのうち少なくとも２つの濃度値に基づいて、前記評価対象につき内臓脂肪面積の状態を評価する濃度値基準評価ステップ
を含むこと
を特徴とする内臓脂肪面積評価方法。
【請求項１４】
制御手段を備えた情報処理装置で実行する内臓脂肪面積評価方法であって、
前記制御手段で実行する、
血液中のアミノ酸の濃度値に関する評価対象のアミノ酸濃度データに含まれるＴｙｒ，Ｐｈｅ，Ｔｒｐ，Ｇｌｕ，Ａｌａ，Ｐｒｏ，Ｏｒｎ，Ｌｙｓ，Ｇｌｙ，Ｓｅｒ，Ｍｅｔ，Ａｒｇ，Ｃｙｓ，Ｇｌｎ，Ｌｅｕ，Ｖａｌ，Ｉｌｅのうち少なくとも２つの濃度値と前記少なくとも２つの濃度値を変数として含む内臓脂肪面積の状態を評価するための多変量判別式とに基づいて、当該多変量判別式の値である判別値を算出する判別値算出ステップ
を含むこと
を特徴とする内臓脂肪面積評価方法。
【請求項１５】
制御手段を備えた情報処理装置で実行する内臓脂肪面積評価方法であって、
前記制御手段で実行する、
血液中のアミノ酸の濃度値に関する評価対象のアミノ酸濃度データに含まれるＴｙｒ，Ｐｈｅ，Ｔｒｐ，Ｇｌｕ，Ａｌａ，Ｐｒｏ，Ｏｒｎ，Ｌｙｓ，Ｇｌｙ，Ｓｅｒ，Ｍｅｔ，Ａｒｇ，Ｃｙｓ，Ｇｌｎ，Ｌｅｕ，Ｖａｌ，Ｉｌｅのうち少なくとも２つの濃度値と前記少なくとも２つの濃度値を変数として含む内臓脂肪面積の状態を評価するための多変量判別式とに基づいて算出された当該多変量判別式の値である判別値に基づいて、前記評価対象につき内臓脂肪面積の状態を評価する判別値基準評価ステップ
を含むこと
を特徴とする内臓脂肪面積評価方法。
【請求項１６】
制御手段を備えた情報処理装置に実行させるための内臓脂肪面積評価プログラムであって、
前記制御手段に実行させるための、
血液中のアミノ酸の濃度値に関する評価対象のアミノ酸濃度データに含まれるＴｙｒ，Ｐｈｅ，Ｔｒｐ，Ｇｌｕ，Ａｌａ，Ｐｒｏ，Ｏｒｎ，Ｌｙｓ，Ｇｌｙ，Ｓｅｒ，Ｍｅｔ，Ａｒｇ，Ｃｙｓ，Ｇｌｎ，Ｌｅｕ，Ｖａｌ，Ｉｌｅのうち少なくとも２つの濃度値に基づいて、前記評価対象につき内臓脂肪面積の状態を評価する濃度値基準評価ステップ
を含むこと
を特徴とする内臓脂肪面積評価プログラム。
【請求項１７】
制御手段を備えた情報処理装置に実行させるための内臓脂肪面積評価プログラムであって、
前記制御手段に実行させるための、
血液中のアミノ酸の濃度値に関する評価対象のアミノ酸濃度データに含まれるＴｙｒ，Ｐｈｅ，Ｔｒｐ，Ｇｌｕ，Ａｌａ，Ｐｒｏ，Ｏｒｎ，Ｌｙｓ，Ｇｌｙ，Ｓｅｒ，Ｍｅｔ，Ａｒｇ，Ｃｙｓ，Ｇｌｎ，Ｌｅｕ，Ｖａｌ，Ｉｌｅのうち少なくとも２つの濃度値と前記少なくとも２つの濃度値を変数として含む内臓脂肪面積の状態を評価するための多変量判別式とに基づいて、当該多変量判別式の値である判別値を算出する判別値算出ステップ
を含むこと
を特徴とする内臓脂肪面積評価プログラム。
【請求項１８】
制御手段を備えた情報処理装置に実行させるための内臓脂肪面積評価プログラムであって、
前記制御手段に実行させるための、
血液中のアミノ酸の濃度値に関する評価対象のアミノ酸濃度データに含まれるＴｙｒ，Ｐｈｅ，Ｔｒｐ，Ｇｌｕ，Ａｌａ，Ｐｒｏ，Ｏｒｎ，Ｌｙｓ，Ｇｌｙ，Ｓｅｒ，Ｍｅｔ，Ａｒｇ，Ｃｙｓ，Ｇｌｎ，Ｌｅｕ，Ｖａｌ，Ｉｌｅのうち少なくとも２つの濃度値と前記少なくとも２つの濃度値を変数として含む内臓脂肪面積の状態を評価するための多変量判別式とに基づいて算出された当該多変量判別式の値である判別値に基づいて、前記評価対象につき内臓脂肪面積の状態を評価する判別値基準評価ステップ
を含むこと
を特徴とする内臓脂肪面積評価プログラム。
【請求項１９】
請求項１６から１８のいずれか１つに記載の内臓脂肪面積評価プログラムを記録したこと、
を特徴とするコンピュータ読み取り可能な記録媒体。
【請求項２０】
制御手段を備えた内臓脂肪面積評価装置と、血液中のアミノ酸の濃度値に関する評価対象のアミノ酸濃度データを提供する端末装置とを、ネットワークを介して通信可能に接続して構成された内臓脂肪面積評価システムであって、
前記端末装置は、
前記評価対象の前記アミノ酸濃度データを前記内臓脂肪面積評価装置へ送信するアミノ酸濃度データ送信手段と、
前記内臓脂肪面積評価装置から送信された、多変量判別式の値である判別値または内臓脂肪面積の状態に関する評価結果を受信する結果受信手段と
を備え、
前記内臓脂肪面積評価装置の前記制御手段は、
前記端末装置から送信された前記評価対象の前記アミノ酸濃度データを受信するアミノ酸濃度データ受信手段と、
前記アミノ酸濃度データ受信手段で受信した前記評価対象の前記アミノ酸濃度データに含まれるＴｙｒ，Ｐｈｅ，Ｔｒｐ，Ｇｌｕ，Ａｌａ，Ｐｒｏ，Ｏｒｎ，Ｌｙｓ，Ｇｌｙ，Ｓｅｒ，Ｍｅｔ，Ａｒｇ，Ｃｙｓ，Ｇｌｎ，Ｌｅｕ，Ｖａｌ，Ｉｌｅのうち少なくとも２つの濃度値と前記少なくとも２つの濃度値を変数として含む内臓脂肪面積の状態を評価するための前記多変量判別式とに基づいて、前記判別値を算出する判別値算出手段、または、
前記アミノ酸濃度データ受信手段で受信した前記評価対象の前記アミノ酸濃度データに含まれるＴｙｒ，Ｐｈｅ，Ｔｒｐ，Ｇｌｕ，Ａｌａ，Ｐｒｏ，Ｏｒｎ，Ｌｙｓ，Ｇｌｙ，Ｓｅｒ，Ｍｅｔ，Ａｒｇ，Ｃｙｓ，Ｇｌｎ，Ｌｅｕ，Ｖａｌ，Ｉｌｅのうち少なくとも２つの濃度値と前記少なくとも２つの濃度値を変数として含む内臓脂肪面積の状態を評価するための多変量判別式とに基づいて、当該多変量判別式の値である判別値を算出する判別値算出手段、および、前記判別値算出手段で算出した前記判別値に基づいて、前記評価対象につき内臓脂肪面積の状態を評価する判別値基準評価手段と、
前記判別値算出手段で算出した前記判別値または前記判別値基準評価手段での前記評価対象の前記評価結果を前記端末装置へ送信する結果送信手段と、
を備えたこと、
を特徴とする内臓脂肪面積評価システム。
【請求項２１】
多変量判別式の値である判別値または内臓脂肪面積の状態に関する評価結果を取得する結果取得手段を備え、
前記判別値は、血液中のアミノ酸の濃度値に関する評価対象のアミノ酸濃度データに含まれるＴｙｒ，Ｐｈｅ，Ｔｒｐ，Ｇｌｕ，Ａｌａ，Ｐｒｏ，Ｏｒｎ，Ｌｙｓ，Ｇｌｙ，Ｓｅｒ，Ｍｅｔ，Ａｒｇ，Ｃｙｓ，Ｇｌｎ，Ｌｅｕ，Ｖａｌ，Ｉｌｅのうち少なくとも２つの濃度値と前記少なくとも２つの濃度値を変数として含む内臓脂肪面積の状態を評価するための前記多変量判別式に基づいて算出されたものである、または、
前記評価結果は、血液中のアミノ酸の濃度値に関する評価対象のアミノ酸濃度データに含まれるＴｙｒ，Ｐｈｅ，Ｔｒｐ，Ｇｌｕ，Ａｌａ，Ｐｒｏ，Ｏｒｎ，Ｌｙｓ，Ｇｌｙ，Ｓｅｒ，Ｍｅｔ，Ａｒｇ，Ｃｙｓ，Ｇｌｎ，Ｌｅｕ，Ｖａｌ，Ｉｌｅのうち少なくとも２つの濃度値と前記少なくとも２つの濃度値を変数として含む内臓脂肪面積の状態を評価するための多変量判別式とに基づいて算出された当該多変量判別式の値である判別値に基づいて、前記評価対象につき内臓脂肪面積の状態を評価した結果であること、
を特徴とする端末装置。
【請求項２２】
前記判別値を算出するまたは内臓脂肪面積の状態を評価する内臓脂肪面積評価装置とネットワークを介して通信可能に接続されており、
前記結果取得手段は、前記内臓脂肪面積評価装置から送信された前記判別値または前記評価結果を受信すること、
を特徴とする請求項２１に記載の端末装置。
【請求項２３】
血液中のアミノ酸の濃度値に関する評価対象のアミノ酸濃度データを提供する端末装置とネットワークを介して通信可能に接続された、制御手段を備えた内臓脂肪面積評価装置であって、
前記制御手段は、
前記端末装置から送信された前記評価対象の前記アミノ酸濃度データを受信するアミノ酸濃度データ受信手段と、
前記アミノ酸濃度データ受信手段で受信した前記評価対象の前記アミノ酸濃度データに含まれるＴｙｒ，Ｐｈｅ，Ｔｒｐ，Ｇｌｕ，Ａｌａ，Ｐｒｏ，Ｏｒｎ，Ｌｙｓ，Ｇｌｙ，Ｓｅｒ，Ｍｅｔ，Ａｒｇ，Ｃｙｓ，Ｇｌｎ，Ｌｅｕ，Ｖａｌ，Ｉｌｅのうち少なくとも２つの濃度値と前記少なくとも２つの濃度値を変数として含む内臓脂肪面積の状態を評価するための多変量判別式とに基づいて、当該多変量判別式の値である判別値を算出する判別値算出手段、または、
前記アミノ酸濃度データ受信手段で受信した前記評価対象の前記アミノ酸濃度データに含まれるＴｙｒ，Ｐｈｅ，Ｔｒｐ，Ｇｌｕ，Ａｌａ，Ｐｒｏ，Ｏｒｎ，Ｌｙｓ，Ｇｌｙ，Ｓｅｒ，Ｍｅｔ，Ａｒｇ，Ｃｙｓ，Ｇｌｎ，Ｌｅｕ，Ｖａｌ，Ｉｌｅのうち少なくとも２つの濃度値と前記少なくとも２つの濃度値を変数として含む内臓脂肪面積の状態を評価するための多変量判別式とに基づいて、当該多変量判別式の値である判別値を算出する判別値算出手段、および、前記判別値算出手段で算出した前記判別値に基づいて、前記評価対象につき内臓脂肪面積の状態を評価する判別値基準評価手段と、
前記判別値算出手段で算出した前記判別値または前記判別値基準評価手段での前記評価対象の評価結果を前記端末装置へ送信する結果送信手段と、
を備えたこと、
を特徴とする内臓脂肪面積評価装置。